(57)【特許請求の範囲】
【請求項１】
記録媒体上に画像を形成する画像形成装置を備えた画像情報装置において、
複数の画素光電変換素子が記録媒体の搬送経路に直交して並ぶように配置された記録媒体端部検出用光電変換手段と、
該記録媒体端部検出用光電変換手段から出力されたアナログ画像信号を前記記録媒体の端部を識別するために設定された比較信号と比較して２値デジタル化する２値化手段と、
該２値化手段により得られた２値化データを用いて前記記録媒体の端部を検出する端部検出手段と、
前記記録媒体端部検出用光電変換手段から出力されたアナログ画像信号を基準記録媒体と使用する記録媒体の濃度及び分光反射率特性の差を補正するために多値デジタル化する多値化手段と、
前記多値化手段によって得られた前記基準記録媒体の出力レベルを前記多値化手段によって得られた前記使用する記録媒体の出力レベルで割ることにより、前記記録媒体端部検出用光電変換手段で用いる照明光の光量調整値を算出する光量調整値算出手段と、
を備えたことを特徴とする画像情報装置。
【請求項２】
原稿上の画像を読み取る原稿読み取り用光電変換手段、および該原稿読み取り用光電変換手段から出力されたアナログ画像信号の多値デジタル化を行う多値化手段を備えて原稿画像を読み取る画像読み取り装置と、
記録媒体上に画像を形成する画像形成装置と、
を備えた画像情報装置において、
複数の画素光電変換素子が記録媒体の搬送経路に直交して並ぶように配置された記録媒体端部検出用光電変換手段と、
該記録媒体端部検出用光電変換手段から出力されたアナログ画像信号を前記記録媒体の端部を識別するために設定された比較信号と比較して２値デジタル化する２値化手段と、
該２値化手段により得られた２値化データを用いて前記記録媒体の端部を検出する端部検出手段と、
基準記録媒体と使用する記録媒体の濃度及び分光反射率特性の差を補正するための前記多値化手段によって得られた前記基準記録媒体の出力レベルを前記多値化手段によって得られた前記使用する記録媒体の出力レベルで割ることにより、前記記録媒体端部検出用光電変換手段で用いる照明光の光量調整値を算出する光量調整値算出手段と、
を備えたことを特徴とする画像情報装置。
【発明の詳細な説明】
【技術分野】
【０００１】
本発明は、デジタル複写機やプリンタなど画像情報装置に係わり、特に、紙など記録媒体上に画像を形成する際に記録媒体主走査方向の書き出し位置をそろえることができる画像形成装置に関する。
【背景技術】
【０００２】
紙など記録媒体の両面に画像形成を行うことができる画像形成装置では、記録媒体幅方向（以下、主走査方向と称する）の書き出し位置がずれた場合、表裏同じ位置に形成されるはずの縦線が表裏で重ならない問題がある。また、片面に画像形成を行う場合でも連続複写時に主走査方向の画像位置が合わないという問題がある。
前記した問題は主走査方向の書き出し位置（以下、主走査レジストと称する）がずれることが原因である。そのため、工場出荷時に主走査レジストは機械ごとに記録媒体に対して同じ位置になるように調整される。しかし、給紙トレーへの記録媒体セット不良や機械内部のスキューなどによりバラツキが発生する。
【０００３】
そのようなことから、走行する記録媒体の端（以下、端部と称する）を検知するためのセンサとして主走査方向に連続する複数の画素情報を同時に読み取るライン型光電変換手段を記録媒体搬送経路に配置し、記録媒体の主走査レジストのズレ量を検出し、記録媒体への書き出し位置を記録媒体１枚ごとに調整する主走査レジスト補正技術が提供されるようになった。
特許文献１に示された従来技術は前記したような主走査レジスト補正技術の代表例であり、複数の発光素子と複数の受光素子を並べた非接触式光学センサを記録媒体の搬送方向と直交する方向に設置して、記録媒体の位置ズレを検出し、記録媒体への画像書き出し位置補正を行う。なお、この従来技術では、複数の受光素子の出力バラツキを補正するために初期調整時に発光素子の発光光量を調整できる。
【特許文献１】特開２００３−２２３０８８公報
【発明の開示】
【発明が解決しようとする課題】
【０００４】
前記したように、特許文献１に示された従来技術では、複数の受光素子の出力バラツキを補正するために発光素子の発光光量を調整することはできるが、記録媒体に応じた発光光量の制御はできない。受光素子の出力バラツキの要因としては、発光素子の光量初期バラツキ、その光量の短期変動および光量寿命、受光素子の感度バラツキなどのほかに、光量調整の際に基準とした記録媒体の濃度などの影響もあるのである。記録媒体は常に同じ種類のものが用いられるわけではなく、白紙でも種類によって濃度が異なる。また、色紙が記録媒体として用いられる場合もあり、ＬＥＤ光源の発光波長と色紙の分光反射率特性によっても受光素子の出力レベルは異なる。
本発明は、このような従来技術の問題を解決しようとするものであり、具体的には、すべての記録媒体に対して適切な光電変換出力を得ることができる画像形成装置を提供することを目的とする。
【課題を解決するための手段】
【０００５】
前記した課題を解決するために、請求項１記載の画像情報装置は、記録媒体上に画像を形成する画像形成装置を備えた画像情報装置において、複数の画素光電変換素子が記録媒体の搬送経路に直交して並ぶように配置された記録媒体端部検出用光電変換手段と、該記録媒体端部検出用光電変換手段から出力されたアナログ画像信号を前記記録媒体の端部を識別するために設定された比較信号と比較して２値デジタル化する２値化手段と、該２値化手段により得られた２値化データを用いて前記記録媒体の端部を検出する端部検出手段と、前記記録媒体端部検出用光電変換手段から出力されたアナログ画像信号を基準記録媒体と使用する記録媒体の濃度及び分光反射率特性の差を補正するために多値デジタル化する多値化手段と、前記多値化手段によって得られた前記基準記録媒体の出力レベルを前記多値化手段によって得られた前記使用する記録媒体の出力レベルで割ることにより、前記記録媒体端部検出用光電変換手段で用いる照明光の光量調整値を算出する光量調整値算出手段とを備える。
【０００６】
請求項２記載の画像情報装置は、原稿上の画像を読み取る原稿読み取り用光電変換手段、および該原稿読み取り用光電変換手段から出力されたアナログ画像信号の多値デジタル化を行う多値化手段を備えて原稿画像を読み取る画像読み取り装置と、記録媒体上に画像を形成する画像形成装置と、を備えた画像情報装置において、複数の画素光電変換素子が記録媒体の搬送経路に直交して並ぶように配置された記録媒体端部検出用光電変換手段と、該記録媒体端部検出用光電変換手段から出力されたアナログ画像信号を前記記録媒体の端部を識別するために設定された比較信号と比較して２値デジタル化する２値化手段と、該２値化手段により得られた２値化データを用いて前記記録媒体の端部を検出する端部検出手段と、基準記録媒体と使用する記録媒体の濃度及び分光反射率特性の差を補正するための前記多値化手段によって得られた前記基準記録媒体の出力レベルを前記多値化手段によって得られた前記使用する記録媒体の出力レベルで割ることにより、前記記録媒体端部検出用光電変換手段で用いる照明光の光量調整値を算出する光量調整値算出手段とを備える。
【発明の効果】
【０００９】
本発明によれば、用いられる記録媒体に応じて記録媒体端部検出用光電変換手段で用いる照明光の光量調整値を算出できるので、すべての記録媒体に対して適切な光電変換出力を得ることができ、したがって、すべての種類の記録媒体について端部検出の誤差を小さくすることができ、主走査方向の書き出し位置をそろえることができる。
【発明を実施するための最良の形態】
【００１０】
以下、図面を参照して本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。なお、ここで説明する画像情報装置の実施形態は画像読み取り装置と画像形成装置を備えたデジタル複写機であるが、画像形成装置については一般的な説明を省略し、以下、図１を参照しながら画像読み取り装置について説明する。
図１に示したように、この画像読み取り装置は、原稿１０５を搭載するコンタクトガラス１０１、シートスルー読み取り用のコンタクトガラス１０２、白レベル調整やシェーディングデータ生成用の基準白板１０３、原稿１０６を搬送する原稿搬送ローラ１０４、原稿を照射する光源１０７、第１ミラー１０８、その光源１０７および第１ミラー１０８が搭載される第１キャリッジ１０９、第２ミラー１１０、第３ミラー１１１、その第２ミラー１１０および第３ミラー１１１が搭載される第２キャリッジ１１２、ＣＣＤイメージセンサ１１４（請求項記載の原稿読み取り用光電変換手段に相当する）、そのＣＣＤイメージセンサ１１４上に縮小結像させるレンズユニット１１３、ＣＣＤイメージセンサ１１４を搭載した画像読み取り回路基板１１５、画像データ処理部１１７、前記キャリッジ１０９、１１２を駆動する図示していないスキャナ駆動モータ、ホームポジションセンサ、原稿検知センサなどを備えている。
【００１１】
前記した構成において、コンタクトガラス１０１上に原稿１０５が搭載された場合に光源１０７を点灯し、第１キャリッジ１０９および第２キャリッジ１１２をスキャナモータにより右方向に移動走査して原稿１０５を読み取る読み取り方式と、第１キャリッジ１０９および第２キャリッジ１１２は停止した状態のまま光源１０７を点灯し、原稿搬送ローラ１０４などによって搬送される原稿１０６をシートスルー読み取り用コンタクトガラス１０２を介して照射することにより読み取る読み取り方式が選択可能である。
これらの読み取り方式のうち、キャリッジ１０９、１１２を走査して原稿を読み取る場合には、原稿の読み取りに先立って基準白板１０３から読み取ったデータを取得してシェーディング補正用データを生成し、メモリに記憶しておき、そのシェーディング補正用データを用いて原稿１０５から読み取った画像データを正規化することにより、該装置における光量分布ムラおよびＣＣＤイメージセンサ１１４の感度ムラを補正する。
【００１２】
また、キャリッジ１０９、１１２を停止した状態のまま原稿１０６を搬送して画像データを読み取るシートスルー読み取りの場合には、原稿１０６の読み取りに先立って第１キャリッジ１０９を基準白板１０３の下に移動させ、シェーディング補正用データを生成し、シートスルー読み取り位置に復帰してから原稿１０６の搬送を開始して原稿読み取り動作を開始する。
また、本発明の一実施形態であるこのデジタル複写機では紙など記録媒体の主走査方向端部（エッジ）を検出することにより記録媒体面上での書き出し位置をそろえる制御を行なっている。記録媒体の主走査方向端部検出を記録媒体搬送方向（副走査方向）のどの位置で行うかはシステムによって異なるが、この実施形態では例えば図２に示した斜線の範囲で検出する。図２に示したように、ライン型光電変換器はその長手方向（複数の画素に対応した複数の画素光電変換素子の並び方向）を記録媒体搬送方向と直交する主走査方向に合わせて設置する。なお、光電変換器としては例えば密着イメージセンサ（ＣＩＳ；Contact Image Sensor）を用いる。
【００１３】
以下、本発明の各実施形態を説明する。
この実施形態で記録媒体端部検出用光電変換手段として用いる密着イメージセンサ（以下、ＣＩＳと称する）の構成を図３、記録媒体端部検出回路の構成を図４に示す。以下、図３および図４を参照しながらＣＩＳおよび記録媒体検出回路について説明する。
図３に示したように、ＣＩＳ１は、受光素子部１１、シフトレジスタ部１２、照明手段である発光ダイオード（以下、ＬＥＤと称す）群１３などから構成されている。ＬＥＤ群１３の光量はＬＥＤ電流制御回路８（図４参照）から出力されるＣＩＳ・ＬＥＤ信号により調整される。このＣＩＳ・ＬＥＤ信号は例えばＰＷＭ（パルス幅変調）信号であり、この場合、所定周期のパルス信号であるＬＥＤ・ＰＷＭ信号がＣＩＳ制御回路５から供給され、この信号を受けたＬＥＤ電流制御回路８が内蔵するトランジスタをスイッチング動作させることによりＣＩＳ・ＬＥＤ信号を生成する。光量調整はＬＥＤ・ＰＷＭ信号のＤｕｔｙを変化させることで可能となる。
【００１４】
一方、ＰＷＭ制御の代わりに定電流制御を用いる場合には、例えば図５に示したような回路でＣＩＳ・ＬＥＤ信号を積分回路１４で平滑化してＬＥＤ群１３を駆動する。光量調整はこの場合もＬＥＤ・ＰＷＭ信号のＤｕｔｙを変化させることで可能となる。
ＣＩＳ１からのアナログ信号はコンパレータ２により２値のデジタルデータに変換される。この変換過程において、ＣＩＳ出力信号レベルが小さいとノイズなどの影響を受けやすくなる。また、程度がひどくなると、コンパレータ２の比較電圧（ＴＨ電圧）に達せず記録媒体端部が検出されなかったり（図６（ａ）参照）、端部検出誤差が発生したりする（図６（ｂ）参照）。そのため、この実施形態では、基準記録媒体から読んだ場合のＣＩＳ出力信号レベルが所定のレベルになるように光量調整を行う。なお、この際のＣＩＳ出力信号レベルのバラツキ要因としては、ＬＥＤ群１３の光量初期バラツキ、光量短期変動、光量寿命、ＣＩＳ感度バラツキ、当該記録媒体の白レベルの濃度バラツキによる影響などがある。記録媒体は常に同じ種類のものが使用されるわけではなく、白紙でも種類によって濃度が異なるので、ＣＩＳ出力レベルが異なるのである。また、色紙が記録媒体として使用される場合もあり、ＬＥＤ光源の発光波長と色紙の分光反射率特性によってもＣＩＳ出力レベルが異なる。
【００１５】
以下、図４に示した記録媒体端部検出回路を説明する。
図示したように、ＣＩＳ制御回路５はＣＰＵ４により制御され、ＣＩＳ１と記録媒体端部検出回路３（請求項記載の端部検出手段に相当する）に対してＣＩＳ・ＣＬＫ信号およびＣＩＳ・ＳＨ信号を供給する。ＣＩＳ・ＣＬＫはＣＩＳ１と記録媒体端部検出回路３のシステムクロックであり、記録媒体端部検出回路３ではこのＣＩＳ・ＣＬＫ信号でＣＩＳ１からのデータをラッチする。一方、ＣＩＳ・ＳＨ信号は内部カウンタのリセットなどに使用される。
また、ＣＩＳ制御回路５はＴＨ調整回路６に対してＣＯＭＰ・ＰＷＭ信号を供給する。このＴＨ調整回路６は内部に積分回路を有し、ＣＯＭＰ・ＰＷＭ信号から直流電圧を生成してコンパレータ２に基準となる比較電圧を供給する。したがって、ＣＯＭＰ・ＰＷＭ信号のＤｕｔｙを変更することにより比較電圧を調整することが可能となる。さらに、ＣＩＳ制御回路５はＬＥＤ電流制御回路８に対して前記したＬＥＤ・ＰＷＭ信号を供給する。なお、この実施形態では、請求項記載の２値化手段がコンパレータ２およびＴＨ調整回路６により実現される。
【００１６】
このような構成で、コンパレータ２はＣＩＳ１からのアナログ信号を比較電圧（ＴＨ電圧；スレッシュ電圧）と比較することによりそのアナログ信号を２値のデジタル信号に変換する。そして、このデジタル信号を受けて、記録媒体端部検出回路３は２値化されたデジタル信号から記録媒体端部を示すゲート信号を生成し、ＣＰＵ４は、このゲート信号位置と基準位置の差分を示す計数値を生成し、記録媒体書き出し位置制御回路７にその計数値を設定する。こうして、記録媒体書き出し位置制御回路７は記録媒体への画像書き出し位置を補正することが可能となる。
【００１７】
図７は記録媒体端部検出回路３の動作を示すタイミングチャートである。以下、図７を参照しながら記録媒体端部検出回路３の動作を説明する。
図７に示した例では、記録媒体の汚れによる誤認識を避けるために、コンパレータ２から出力された２値化信号であるｃｉｓ・ｄｉｎ信号（記録媒体が存在すると“Ｈｉｇｈ”出力となる）が４画素分連続して“Ｈｉｇｈ”レベルとなった場合に記録媒体の端部と判断して、Ｐ・ＥＤＧＥ信号を“Ｌｏｗ”レベルとする（ここでは“Ｌｏｗ”レベルを記録媒体検出時の出力レベルとしている）。図７では、３画素連続ではＰ・ＥＤＧＥ信号が“Ｌｏｗ”レベルとならず４画素連続で“Ｌｏｗ”レベルとなることを示している。なお、Ｐ・ＥＤＧＥ信号はＣＩＳ・ＳＨ信号が“Ｈｉｇｈ”レベルになったときにリセットされる。
【００１８】
ＣＩＳ・ＳＨ信号からＰ・ＥＤＧＥ信号が“Ｌｏｗ”レベルとなるまでの基準の画素数はあらかじめ決められており、その値が例えば工場出荷時に図示しないメモリに格納されている。そして、プリント時には、記録媒体１枚単位にＣＩＳ・ＳＨ信号からＰ・ＥＤＧＥ信号が“Ｌｏｗ”レベルとなるまでの画素数をＣＰＵ４が検出し、基準画素数に対する差分を算出する。ＣＰＵ４はその差分を搬送時の記録媒体のズレとし、そのズレを補正する方向に書き込み開始位置を変更する。なお、差分が想定範囲外になることも考えられる。例えばシステム的な要因や、想定しているサイズより大きなゴミの存在などが考えられ、その際は異常としてエラー信号を出力する。またＣＰＵ４は、誤検出を回避する目的で、複数ライン分のＣＩＳ・ＳＨ信号からＰ・ＥＤＧＥ信号が“Ｌｏｗ”レベルとなるまでの画素数の平均値を算出し、最終的な記録媒体端部位置を算出する。
【００１９】
図８に、光量調整時の動作フローを示す。この光量調整では、基準記録媒体を用い、まずＣＩＳ１のＬＥＤ電流を最大にしてＰ・ＥＤＧＥ信号が狙いの画素数以上“Ｌｏｗ”レベルとなっているか否かを判定し（Ｐ・ＥＤＧＥ＝“Ｌｏｗ”レベルは記録媒体有りを検出したときのレベル）、続いてＬＥＤ電流を小さくすることによりＣＩＳ出力レベルを低下させていき、それまで“Ｌｏｗ”レベルであった画素が１画素でも“Ｈｉｇｈ”レベルとなった場合、そのときの画像ピークレベルがコンパレータ２の比較電圧近辺であると判断し、そのときの出力のα倍の出力となるようにＬＥＤ電流を調整し、調整完了とする。なお、係数αはＣＩＳ１の光量劣化特性および検出精度の評価結果から決まる値である。
【００２０】
以下、図８に従って基準記録媒体出力レベル決定（ＬＥＤ電流決定）の動作フローを説明する。
この実施形態では、電源オン後、キー操作などにより光量調整モードが設定されると、システム制御部１３１の制御により基準記録媒体が給紙トレーからＣＩＳ１の位置まで搬送され、停止する。この状態で、ＣＰＵ４はＣＩＳ制御回路５によりＬＥＤ電流の電流設定値Ａを最大値に設定し、ＣＩＳ１内のＬＥＤ群１３を点灯させる（ステップ１）。
この状態でＣＰＵ４はＰ・ＥＤＧＥ信号の“Ｌｏｗ”幅があらかじめ決められた画素数以上であるか否かを判定する（ステップ２）。そして、あらかじめ決められた画素数以上であったならば（ステップ２でＹｅｓ）、ＣＩＳ制御回路５により電流設定値Ａを“Ｄｏｗｎ”と設定してＬＥＤ電流を所定量減らし（ステップ３）、それにより光量を下げさせる。なお、前記所定量はシステム設計時におけるＣＩＳ特性評価から決められているものとする。
【００２１】
続いて、ＣＰＵ４はＰ・ＥＤＧＥ信号中の前記“Ｌｏｗ”幅内の画素のうちで１画素でも“Ｈｉｇｈ”レベルに変化した画素があるか否かを判定し（ステップ４）、ない場合は（ステップ４でＮｏ）ステップ３へ戻り、さらに光量を下げる。１画素でも“Ｈｉｇｈ”レベルに変化する画素が現れるまで繰り返すのである。こうして、“Ｈｉｇｈ”レベル画素が発生すると（ステップ４でＹｅｓ）、そのときの電流設定値Ａをα倍した値を基準記録媒体使用時のＬＥＤ電流値として決定する（ステップ５）。このα倍がコンパレータ２の比較電圧に対する上側電圧マージンとなる。
次に、Ａ×αがあらかじめ定めた最大電流を越えるか否かを判定し（ステップ６）、越えない場合は（ステップ６でＹｅｓ）この時点で光量調整は終了となり、決定されたＡ×αの値を基準媒体出力レベルに対応した値として後述する基準媒体出力レベル保持部１２３に記憶する（ステップ７）。
一方、ステップ２において、あらかじめ決められた画素数以上でないと判定された場合（ステップ２でＮｏ）、またはステップ６において前記最大電流を越えてしまう場合、光量調整エラーとする（ステップ８）。なお、前記において、電流設定値ＡはＬＥＤ・ＰＷＭ信号の“Ｈｉｇｈ”レベル幅の割合である。
【００２２】
前記したように、記録媒体は常に同じ種類のものが使用されるわけではなく、記録媒体の種類によってＣＩＳ出力レベルが異なる。そこで、この実施形態では、各種記録媒体について標準の媒体出力レベルを求め、前記基準媒体出力レベルとの比率を求めることにより光量補正値を求め、ＬＥＤ群１３に与えるＬＥＤ電流を記録媒体ごとに変えることにより媒体出力レベルが同じになるようにする。
前記した出力レベルの比率を求めるためには、多値デジタル化されたＣＩＳ出力レベルを得る必要がある。この実施形態では、それを前記した画像読み取り装置を構成しているＣＣＤイメージセンサ１１４や原稿読み取り回路などを用いて行う。ＣＩＳ１用に別に多値デジタル化手段を含む読み取り回路を設けると、その分だけコストアップになるからである。但し、この実施形態では、ＣＩＳ１の分光感度特性とその照明手段であるＬＥＤ群１３の分光強度で決定される総合分光特性と、原稿読み取り用光電変換手段であるＣＣＤイメージセンサ１１４の分光感度特性とその照明手段である光源１０７の分光強度で決定される総合分光特性とを、一致させるかまたは近い特性にしている。それは、光電変換出力の大きさが、主に記録媒体の分光反射率、照明手段の分光強度特性、光電変換器の分光感度特性などによって決まり、異なった光電変換器と照明手段を用いれば、意図的に合わせる設計をしない限り、一般に光電変換手段の分光感度特性Ｐ（λ）と照明手段の分光強度特性Ｇ（λ）から決まるΣＧ（λ）Ｐ（λ）が異なるからである。
ＣＣＤイメージセンサ１１４については、分光感度特性の異なるものを複数備え、ＣＩＳ１の分光感度特性に一致するかまたは近い特性のものを選択するようにしてもよい。例えばＣＣＤイメージセンサ１１４を複数備えたバーを画像読み取り回路基板１１５上でスライドさせて選択するのである。なお、原稿読み取り回路とは別に多値デジタル化手段を備え、ＣＩＳ１からその多値デジタル化手段へ入力させるようにしてもよく、そのような構成では前記したような総合分光特性合わせは不要である。
【００２３】
図９に、原稿読み取り回路基板１１５に設けられた原稿読み取り回路１１６、および画像データ処理部１１７の構成を示す。なお、原稿読み取り回路への入力はＣＣＤイメージセンサ１１４からとなる。
図示したように、原稿読み取り回路１１６は、サンプルホールド回路２０１、黒レベル補正回路２０２、アナログ信号増幅回路２０３、ＡＤ変換回路２０４（請求項記載の多値化手段に相当する）などを備える。
このような構成で、この原稿読み取り回路１１６では、サンプルホールド回路２０１が、図示しないタイミング発生部から入力されたサンプルパルスにより、ＣＣＤイメージセンサ１１４から入力されたアナログ画像信号のサンプリングを行なって入力レベルを保持し、連続的なアナログ画像信号とした後、黒レベル補正回路２０２がＣＣＤイメージセンサ１１４の暗時出力レベルのバラツキを補正し、増幅回路２０３において、基準白板レベルが決められた所定のレベルになるようなゲインで信号を増幅し、ＡＤ変換回路２０４が１０ビットのデジタル画像データに変換する。
こうして得られたデジタル画像データはシェーディング補正回路２０５へ出力され、シェーディング補正回路２０５では、その画像データに含まれているＣＣＤイメージセンサ１１４の感度バラツキや照明光学系の配光ムラ分を基準白板データに基づいて補正し、画像処理回路２０６では補正された画像データに対して各種画像処理を施す。
【００２４】
前記した画像パスは原稿読み取り処理系のメインパスであるが、この画像パス以外にシェーディング後の画像データは光量補正値演算回路１２２（請求項記載の光量調整値算出手段に相当する）へ出力される。
光量補正値演算回路１２２は、このパスを介してあらかじめ基準記録媒体の出力レベル（以下、基準記録媒体出力レベルと称する）を取得し、基準記録媒体出力レベル保持部１２３に記憶させておく。つまり、白紙の基準記録媒体を例えばコンタクトガラス１０１上にセットしてＣＣＤ１１４により読み取らせることにより基準記録媒体出力レベルを基準記録媒体出力レベル保持部１２３に記憶させておくのである。
その後、用いる記録媒体（例えば紙）に合わせてＣＩＳ１内のＬＥＤ群１３の光量補正を行う際、光量補正値演算回路１２２は、光量補正演算指示を操作部１２１からシステム制御部１３１経由で受けたとき、コンタクトガラス１０１上にセットされた白紙の当該記録媒体から読み取られた画像データをシェーディング補正回路２０５から渡されると、光量補正値の演算を行う。つまり、このとき渡された記録媒体出力レベルと、あらかじめ基準記録媒体出力レベル保持部１２３に記憶させた基準記録媒体出力レベルとを用いて次の計算式から光量補正値を算出するのである。
光量補正値＝（基準記録媒体出力レベル）／（記録媒体出力レベル）
続いて、光量補正値演算回路１２２は基準記録媒体出力レベル保持部１２３から基準記録媒体の電流設定値Ａ×αを取得し、取得した値に求めた光量補正値を乗じ、その積の値からＣＩＳ制御回路５が前記したＬＥＤ・ＰＷＭ信号の“Ｈｉｇｈ”の幅を求める。
前記計算式では、当該記録媒体の光量を決めるＬＥＤ電流を、基準記録媒体に対する比率から算出しているので、当該記録媒体に最適な光量であり、このような補正によりＣＩＳ出力がコンパレータ２の比較電圧以下となるというような問題を防ぐことができる。
こうして、この実施形態によれば、すべての種類の記録媒体について端部検出の誤差を小さくすることができ、主走査方向の書き出し位置をそろえることができる。
【００２５】
図１０は第２の実施形態の操作部を示す説明図、図１１は原稿読み取り回路１１６および画像データ処理部１１７ａの構成を示すブロック図である。以下、図１０および図１１を参照しながらこの実施形態を説明する。なお、図１０において、表示パネルは給紙トレー選択時の表示例を示しており、図１１は実施形態１の構成に対して光量補正値保持回路１２４（請求項記載の調整値保持手段に相当する）が追加された構成となっている。
このような構成で、利用者は、操作部１２１内の表示パネルに表示された複数の給紙トレーのなかから使用する給紙トレーを１つ選択した後、使用する給紙トレーに収納されている白紙の記録媒体中の１枚を例えばコンタクトガラス１０１上にセットし、操作部１２１内のＳＴＡＲＴボタンを押す。これにより、システム制御部１３１は給紙トレー選択情報を光量補正値保持回路１２４へ送信し、光量補正値保持回路１２４に記憶させる。なお、この光量補正値保持回路１２４は給紙トレーごとに異なる値の光量補正値を保持することが可能となっている。
次に、用いられる白紙の記録媒体が読み取られ、得られた記録媒体出力レベルを用い、実施形態１で説明した光量補正値が算出される。これにより、システム制御部１３１は算出された光量補正値を光量補正値保持回路１２４に記憶させておいた給紙トレー選択情報に対応付けて光量補正値保持回路１２４に記憶する。
【００２６】
各給紙トレーについて光量補正値の算出と設定が終了した後、利用者が記録媒体上に画像を形成させる場合、例えば複写原稿サイズ情報に基づいて自動で給紙トレーが選択され、システム制御部１３１はその給紙トレー選択情報を光量補正値保持回路１２４へ送信する。そうすると、光量補正値保持回路１２４は受け取った給紙トレー選択情報に対応づけられた光量補正値をＣＩＳ制御回路５へ送信する。これにより、ＣＩＳ制御回路５は受け取った光量補正値を用いてＬＥＤ・ＰＷＭ信号のＤｕｔｙを給紙トレーごとに切り換え、結果として、ＬＥＤ群１３の発光光量は選択された収納記録媒体に適した発光光量に切り換わる。
こうして、この実施形態では、利用者の手を煩わせずに実施形態１と同様の効果を得ることができる。
なお、給紙トレーに対応づけて光量補正値を保持しておく代わりに記録媒体の種類に対応づけて光量補正値を保持しておくことも可能である。その場合、使用される記録媒体の指示は例えば操作部１２１内の表示パネルなどを用いて行う。
【図面の簡単な説明】
【００２７】
【図１】本発明の一実施形態としてデジタル複写機における画像読み取り装置の構成を示す説明図である。
【図２】本発明の一実施形態としてライン型光電変換器の設置状態を示す説明図である。
【図３】本発明の第１の実施形態として密着イメージセンサの構成を示す図である。
【図４】本発明の第１の実施形態として記録媒体端部検出回路の構成を示すブロック図である。
【図５】本発明の第１の実施形態として記録媒体端部検出回路要部の構成を示すブロック図である。
【図６】本発明の第１の実施形態の記録媒体端部検出に係る説明図である。
【図７】本発明の第１の実施形態として記録媒体端部検出回路の動作を示すタイミングチャートである。
【図８】本発明の第１の実施形態として光量調整時の動作フローを示すフロー図である。
【図９】本発明の第１の実施形態として原稿読み取り回路および画像データ処理部の構成を示すブロック図である。
【図１０】本発明の第２の実施形態として操作部の構成を示す説明図である。
【図１１】本発明の第２の実施形態として原稿読み取り回路および画像データ処理部の構成を示すブロック図である。
【符号の説明】
【００２８】
１  密着イメージセンサ
２  コンパレータ
３  記録媒体端部検出回路
４  ＣＰＵ
５  ＣＩＳ制御回路
６  ＴＨ調整回路
７  記録媒体書き出し位置制御回路
８  ＬＥＤ電流制御回路
１３  発光ダイオード群
１１４  ＣＣＤイメージセンサ
１１６  原稿読み取り回路
１１７  データ処理部
１２１  操作部
１２２  光量補正値演算回路
１２３  基準記録媒体出力レベル保持部
１２４  光量補正値保持回路
【図１】
0004749220.tif 000002
【図２】
0004749220.tif 000003
【図３】
0004749220.tif 000004
【図４】
0004749220.tif 000005
【図５】
0004749220.tif 000006
【図６】
0004749220.tif 000007
【図７】
0004749220.tif 000008
【図８】
0004749220.tif 000009
【図９】
0004749220.tif 000010
【図１０】
0004749220.tif 000011
【図１１】
0004749220.tif 000012